(57)【要約】【課題】水槽部が本体から取り外された時にはマイナスイオン発生装置をオフして、安全性を確保し、マイナスイオン発生装置の取り付け位置の自由度を向上することを目的とする。【解決手段】本体１の内部に、水を保持する水槽部２と、水槽部２の水を吸水し気化する気化フィルター３と、水を水槽部２に供給する給水部４と、気化フィルター３に送風する送風装置７と、マイナスイオンを発生するマイナスイオン発生装置８と、送風装置７およびマイナスイオン発生装置８等のオンオフをコントロールする制御部１３とを備え、水槽部２は本体１から取り外すことができる加湿器において、本体１の内部に、水槽部２の本体１への取り付け、取り外しに応じて動作するスイッチ２１を備え、前記制御部１３は前記スイッチ２１のオン、オフに応じて前記マイナスイオン発生装置８をオン、オフする。【選択図】　図１
2004144410.tif 000002
【特許請求の範囲】
【請求項１】
本体（１）の内部に、水を保持する水槽部（２）と、水槽部（２）の水を吸水し気化する気化フィルター（３）と、水を水槽部（２）に供給する給水部（４）と、気化フィルター（３）に送風する送風装置（７）と、マイナスイオンを発生するマイナスイオン発生装置（８）と、送風装置（７）およびマイナスイオン発生装置（８）等のオンオフをコントロールする制御部（１３）とを備え、水槽部（２）は本体（１）から取り外すことができる加湿器において、
本体（１）の内部に、水槽部（２）の本体（１）への取り付け、取り外しに応じて動作するスイッチ（２１）を備え、前記制御部（１３）は前記スイッチ（２１）のオン、オフに応じて前記マイナスイオン発生装置（８）をオン、オフすることを特徴とする加湿器。
【請求項２】
水槽部（２）に、マグネット（１５）が固定され水槽部（２）の水位に応じて上下するフロート（１４）と、本体（１）に前記マグネット（１５）に対向しマグネット（１５）の磁力に応答するフロート検出スイッチ（１６）とを備え、フロート検出スイッチ（１６）は水槽部（２）の水位が所定値以上か所定値未満かに応じて動作し、水槽部（２）を本体（１）から取り外すとフロート（１４）との距離が離れて動作し、前記制御部（１３）はフロート検出スイッチ（１６）のオン、オフに応じて前記マイナスイオン発生装置（８）をオン、オフすることを特徴とする請求項１記載の加湿器。
【請求項３】
前記制御部（１３）は前記気化フィルター（３）の方向を変えることで加湿量の多と少を切り換え、前記スイッチ（２１）は気化フィルター（３）の方向を検出することを特徴とする請求項１乃至請求項２記載の加湿器。
【発明の詳細な説明】
【０００１】
【発明の属する技術分野】
本発明は、マイナスイオン発生装置を備えた加湿器の構造に関するものである。
【０００２】
【従来の技術】
従来のマイナスイオン発生装置を備えた加湿器を図面に従って説明する。図１１は従来の加湿器の側面断面図、図１２は従来の加湿器のフロート部を含んだ正面断面図である。
【０００３】
図において、本体１の内部に、本体１から取り外すことができる水槽部２と、水槽部２の水を吸水し気化する気化フィルター３とを備えている。水槽部２は、本体１の側面から横方向にスライドして出し入れ自在の構造である。気化フィルター３は、ほぼ直方体の形状で、その下部が水槽部２の水に漬かっている。
【０００４】
水を水槽部２に供給する給水部４は、水位が一定になるように水を供給する弁機能をもつキャップ６と、本体１から着脱可能で補給する水を入れるタンク５で構成されている。
【０００５】
また、本体１の内部には、気化フィルター３に送風する送風装置７と、マイナスイオンを発生するマイナスイオン発生装置８と、マイナスイオン発生装置８用の放電電極９と、マイナスイオン発生装置８用の高電圧ユニット１０を備えている。
【０００６】
さらに、本体１の内部には、送風装置７から気化フィルター３への送風を温風にして加湿を促進するヒーター１１と、制御基板等で構成され、送風装置７およびマイナスイオン発生装置８等のオンオフをコントロールする制御部１３を備えている。本体１の上部にある吹出口１２は、送風装置７からの送風を外部に吹出す。
【０００７】
マグネット１５を固定したフロート１４は水槽部２の下方にあり、水槽部２の水位に応じて上下する。フロート検出スイッチ１６が本体１にフロート１４に固定されたマグネット１５に対向して設けられ、リードスイッチ等で形成され、フロート１４の位置すなわち水槽部２の水位を検出する。
【０００８】
以上の構成において、各運転モードにおける動作を説明する。運転モードには加湿運転とマイナスイオン運転とがある。
【０００９】
運転モードが加湿運転の場合、制御部１３はフロート検出スイッチ１６がオンであることを確認し、送風装置７、ヒーター１１、マイナスイオン発生装置８をオンにする。これにより、送風装置７の送風は温風となり、水に漬かった気化フィルター３に送風されて気化が促進され、その後、マイナスイオン発生装置８から発生されたマイナスイオンとともに吹出口１２から本体１の外部へ吹出される。この場合は、水槽部２が本体１に取り付けられた状態である。
【００１０】
加湿運転中に、水槽部２の水が無くなったときや、水槽部２が本体１から取り外されたときには、フロート検出スイッチ１６がオフとなり、制御部１３はこれを認識し、ヒーター１１をオフとする。
【００１１】
運転モードがマイナスイオン運転の場合、制御部１３はフロート検出スイッチ１６がオンであることを確認し、送風装置７、マイナスイオン発生装置８をオンにする。ヒーター１１はオンしない。これにより、送風装置７の送風がマイナスイオン発生装置８から発生されたマイナスイオンを吹出口１２から本体１の外部へ吹出す。
【００１２】
このような従来例に類似した例として、特許文献１、特許文献２に示す例等がある。
【００１３】
【特許文献１】特開２００１−３３８７４４号公報
【特許文献２】特開２００２−９８３７１号公報。
【００１４】
【発明が解決しようとする課題】
前述したように、従来のマイナスイオン発生装置８を備えた加湿器は、水槽部２を本体１から取り外すことができるようにして、日常の掃除等をやり易い構造としているが、水槽部２を本体１から取り出した状態でもマイナスイオン発生装置８をオンしたままのため、マイナスイオン発生装置８の高電圧部分等の充電部に外から手や金属棒等が触れる可能性があり、安全性に問題があった。また、この問題に対処するため、前記充電部を手の触れる恐れの無い位置に取り付けようとすると、性能を充分発揮できなくなるという課題があった。
【００１５】
本発明は、前記課題を解決するものであり、水槽部が本体から取り外された時にはマイナスイオン発生装置をオフして、安全性を確保し、マイナスイオン発生装置の取り付け位置の自由度を向上することを目的とする。
【００１６】
加えて、水槽部の水位が所定値未満になった時または水槽部が本体から取り外された時にはマイナスイオン発生装置をオフして、より安全性を向上することを目的とする。
【００１７】
さらに、加湿量の多少を簡単に切り換えることを目的とする。
【００１８】
【課題を解決するための手段】
本発明は、上述の課題を解決するために、本体の内部に、水を保持する水槽部と、水槽部の水を吸水し気化する気化フィルターと、水を水槽部に供給する給水部と、気化フィルターに送風する送風装置と、マイナスイオンを発生するマイナスイオン発生装置と、送風装置およびマイナスイオン発生装置等のオンオフをコントロールする制御部とを備え、水槽部は本体から取り外すことができる加湿器において、本体の内部に、水槽部の本体への取り付け、取り外しに応じて動作するスイッチを備え、前記制御部は前記スイッチのオン、オフに応じて前記マイナスイオン発生装置をオン、オフするものである。
【００１９】
【発明の実施の形態】
本発明は、前述のように、本体の内部に、水を保持する水槽部と、水槽部の水を吸水し気化する気化フィルターと、水を水槽部に供給する給水部と、気化フィルターに送風する送風装置と、マイナスイオンを発生するマイナスイオン発生装置と、送風装置およびマイナスイオン発生装置等のオンオフをコントロールする制御部とを備え、水槽部は本体から取り外すことができる加湿器において、本体の内部に、水槽部の本体への取り付け、取り外しに応じて動作するスイッチを備え、前記制御部は前記スイッチのオン、オフに応じて前記マイナスイオン発生装置をオン、オフするものである。
【００２０】
これによって、水槽部が本体から取り外された時にはマイナスイオン発生装置をオフして、安全性を確保し、マイナスイオン発生装置の取り付け位置の自由度を向上することができる。
【００２１】
加えて、水槽部に、マグネットが固定され水槽部の水位に応じて上下するフロートと、本体に前記マグネットに対向しマグネットの磁力に応答するフロート検出スイッチとを備え、フロート検出スイッチは水槽部の水位が所定値以上か所定値未満かに応じて動作し、水槽部を本体から取り外すとフロートとの距離が離れて動作し、前記制御部はフロート検出スイッチのオン、オフに応じて前記マイナスイオン発生装置をオン、オフするものである。
【００２２】
これによって、水槽部の水位が所定値未満になった時または水槽部が本体から取り外された時にはマイナスイオン発生装置をオフして、より安全性を向上することができる。
【００２３】
さらに、前記制御部は前記気化フィルターの方向を変えることで加湿量の多と少を切り換え、前記スイッチは気化フィルターの方向を検出するものである。
【００２４】
これによって、加湿量の多少を簡単に切り換えることができる。
【００２５】
【実施例】
以下、本発明の一実施例を図面に従って説明する。図１は本発明の一実施例の気化フィルターが垂直の場合の側面断面図、図２は本発明の一実施例の気化フィルター部を含んだ正面断面図、図３は本発明の一実施例のフロート部を含んだ正面断面図、図４は本発明の一実施例の水が少ない場合のフロート部を含んだ正面断面図、図５は本発明の一実施例の水槽部を外した場合のフロート部を含んだ正面断面図、図６は本発明の一実施例の気化フィルターが水平の場合の側面断面図、図７は本発明の一実施例の気化フィルターが水平の場合の気化フィルターを含んだ正面断面図、図８は本発明の一実施例の水がない場合の側面断面図、図９は本発明の一実施例の水がない場合のフロート部を含んだ正面断面図、図１０は本発明の一実施例の水がない場合の気化フィルターを含んだ正面断面図である。
【００２６】
先ず、全体の構成を説明する。
【００２７】
図において、１は加湿器の本体である。２は水槽部で、本体１の内部にあり、水を保持する。水槽部２は、本体１の側面から横方向にスライドして出し入れ自在の構造であり、本体１から取り外すことができる。
【００２８】
３は気化フィルターで、本体１の内部にあり、山形に折り込み重ね合わせた吸水性を有するポリエステル繊維で形成され、水槽部２の水を吸水し気化する。気化フィルター３は、ほぼ直方体の形状で、垂直の方向の場合はその下部が水槽部２の水に漬かって吸水し、水平の方向の場合は水槽部２の水に漬からず吸水しない。気化フィルター３の方向が垂直のとき運転されると加湿量は多となり、水平のときは加湿量は少となる。
【００２９】
４は給水部で、本体１の内部にあり、水を水槽部２に供給する。５はタンクで、本体１から着脱可能で、補給する水を入れる。６はキャップで、水槽部２の水位が一定になるように水を供給する弁機能をもち、このキャップ６とタンク５とから給水部４が構成される。７は送風装置で、本体１の内部にあり、気化フィルター３に送風する。
【００３０】
８はマイナスイオン発生装置で、本体１の内部にあり、マイナスイオンを発生する。９はマイナスイオン発生装置８用の放電電極で、気化フィルター３から後記吹出口１２に至る風路の間に設けられる。１０はマイナスイオン発生装置８用の高電圧ユニットである。
【００３１】
１１はヒーターで、送風装置７から気化フィルター３への送風を温風にして加湿を促進する。１２は吹出口で、本体１の上部にあり、送風装置７からの送風が外部に吹出される部分である。
【００３２】
１３は制御部で、本体１の内部にあり、制御基板等で構成され、送風装置７およびマイナスイオン発生装置８等のオンオフをコントロールする。
【００３３】
１４はフロートで、水槽部２の下方にあり、水槽部２の水位に応じて上下する。１５はマグネットで、フロート１４に固定される。
【００３４】
１６はフロート検出スイッチで、本体１にフロート１４に固定されたマグネット１５に対向して設けられ、リードスイッチ等で形成され、フロート１４に固定されたマグネット１５の磁力に応答してフロート１４の位置すなわち水槽部２の水位を検出する。また、フロート検出スイッチ１６は水槽部２の水位が所定値以上のときはオンとなり、水槽部２の水位が所定値未満のときはオフとなり、水槽部２を本体１から取り外すとフロート１４とフロート検出スイッチ１６との距離が離れてオフとなる。
【００３５】
１７はモーターで、制御部１３によりコントロールされ、気化フィルター３を回転させる。１８は円板で、気化フィルター３の側面に連結される。１９は突起で、円板１８の円周部に二箇所あり、気化フィルター３の長手方向と一致した位置に設けられている。２０はレバーで、円板１８の上方に配され、一方に支点があり、他方が円板１８の円周部に接し、円板１８の突起１９に接したときは上に動き、突起１９に接しないときは下に動く。
【００３６】
２１はスイッチで、本体１の内部に設けられ、マイクロスイッチ等で形成され、水槽部２を本体１に取り付けたときにオンとなり、水槽部２を本体１から取り外したときにオフとなる。また、スイッチ２１はレバー２０の上下によりオン、オフする。つまり、スイッチ２１は気化フィルター３が垂直の時はオン，水平の時はオフ、というように気化フィルター３の方向を検出する。
【００３７】
次に、各運転状態における動作を説明する。運転モードには加湿量多の加湿運転と、加湿量少の加湿運転と、マイナスイオン運転とがあり、各運転モードにおいて、水槽部２の水の多少、水槽部２の取り付け取り外し状態等の条件があり、これらの組合せにより運転状態が決定される。
【００３８】
（運転状態１−１）
運転モードが加湿量多の加湿運転の場合で、水槽部２の水が充分あるとき即ち水位が所定値以上のときは、図１、図２、図３に示すように、制御部１３はモーター１７をコントロールして気化フィルター３を回転させ、気化フィルター３が垂直の方向になると、気化フィルター３に連結された円板１８の突起１９が上となり、この突起１９がレバー２０を上に動かし、レバー２０が上に動いたことによりスイッチ２１はオンとなる。
【００３９】
制御部１３はスイッチ２１がオンとなったことを検出して、モーター１７の回転を停止する。すると、気化フィルター３は垂直な方向で停止され、その下部が水槽部２の水に漬かる。また、フロート１４に固定されたマグネット１５とフロート検出スイッチ１６が近づいているので、マグネット１５の磁力によりフロート検出スイッチ１６はオンである。
【００４０】
制御部１３はフロート検出スイッチ１６がオンであることを確認し、送風装置７、ヒーター１１、マイナスイオン発生装置８をオンにする。これにより、送風装置７の送風は温風となり、水に漬かった気化フィルター３に送風されて加湿量が多となり、その後、マイナスイオン発生装置８から発生されたマイナスイオンとともに吹出口１２から本体１の外部へ吹出される。
【００４１】
（運転状態１−２）
運転モードが加湿量多の加湿運転の場合で、水槽部２の水が少なくなったとき即ち水位が所定値未満のときは、図４に示すように、フロート１４に固定されたマグネット１５とフロート検出スイッチ１６が離れるので、フロート検出スイッチ１６はオフになる。制御部１３はこれを認識し、送風装置７、ヒーター１１、マイナスイオン発生装置８をオフにする。
【００４２】
（運転状態１−３）
運転モードが加湿量多の加湿運転の場合で、水槽部２の水が充分あるとき即ち水位が所定値以上のときに、水槽部２を本体１から取り外すと、図５に示すように、フロート１４に固定されたマグネット１５とフロート検出スイッチ１６が離れるので、フロート検出スイッチ１６はオフになる。制御部１３はこれを認識し、送風装置７、ヒーター１１、マイナスイオン発生装置８をオフにする。
【００４３】
（運転状態２−１）
運転モードが加湿量少の加湿運転の場合で、水槽部２の水が充分あるとき即ち水位が所定値以上のときは、図５、図６、図７に示すように、制御部１３はモーター１７を駆動せず、気化フィルター３を水平の方向のままとする。気化フィルター３の方向が水平のため、円板１８の突起１９は横の位置にあるので、レバー２０は下の位置にあり、スイッチ２１はオフである。気化フィルター３は水平の方向なので、その下部は水槽部２の水に漬からない。
【００４４】
フロート１４に固定されたマグネット１５とフロート検出スイッチ１６が近づいているので、フロート検出スイッチ１６はオンである。
【００４５】
制御部１３はフロート検出スイッチ１６がオンであることを認識し、送風装置７、ヒーター１１、マイナスイオン発生装置８をオンにする。これにより、送風装置７の送風が温風となり、水に漬かっていない気化フィルター３に送風されて加湿量が少となり、その後、マイナスイオン発生装置８から発生されたマイナスイオンとともに吹出口１２から本体１の外部へ吹出される。
【００４６】
（運転状態２−２）
運転モードが加湿量少の加湿運転の場合で、水槽部２の水が少なくなったとき即ち水位が所定値未満のときは、（運転状態１−２）すなわち「運転モードが加湿量多の加湿運転の場合で、水槽部２の水が少なくなったとき即ち水位が所定値未満のときの動作」と同じなので、説明を割愛する。
【００４７】
（運転状態２−３）
運転モードが加湿量少の加湿運転の場合で、水槽部２の水が充分あり即ち水位が所定値以上あり、水槽部２を本体１から取り外したときは、（運転状態１−３）すなわち「運転モードが加湿量多の加湿運転の場合で、水槽部２の水が充分あり、水槽部２を本体１から取り外したときの動作」と同じなので、説明を割愛する。
【００４８】
（運転状態３−１）
マイナスイオン運転の場合で、水槽部２の水が充分あるとき即ち水位が所定値以上のときは、図６、図７に示すように、制御部１３はモーター１７を駆動せず、気化フィルター３を水平の方向のままとする。気化フィルター３の方向が水平のため、円板１８の突起１９は横の位置にあるので、レバー２０は下の位置にあり、スイッチ２１はオフである。
【００４９】
このときは、図３に示すように、フロート１４に固定されたマグネット１５とフロート検出スイッチ１６が近づいているので、フロート検出スイッチ１６はオンである。
【００５０】
制御部１３はフロート検出スイッチ１６がオンであることを確認し、送風装置７、マイナスイオン発生装置８をオンにする。ヒーター１１はオンしない。これにより、送風装置７の送風がマイナスイオン発生装置８から発生されたマイナスイオンを吹出口１２から本体１の外部へ吹出す。
【００５１】
（運転状態３−２）
マイナスイオン運転の場合で、水槽部２の水が充分あるとき即ち水位が所定値以上のときに、水槽部２を本体１から取り外すと、図５に示すように、フロート１４に固定されたマグネット１５とフロート検出スイッチ１６が離れるので、フロート検出スイッチ１６はオフになる。制御部１３はこれを認識し、送風装置７、マイナスイオン発生装置８をオフにする。
【００５２】
（運転状態３−３）
マイナスイオン運転の場合で、水槽部２の水が無いとき即ち水位が所定値未満のときは、図８、図９に示すように、フロート１４に固定されたマグネット１５とフロート検出スイッチ１６が離れるので、フロート検出スイッチ１６はオフになる。
【００５３】
制御部１３はこれを認識し、モーター１７をコントロールして気化フィルター３を回転させ、気化フィルター３を垂直の方向にする。気化フィルター３に連結された円板１８の突起１９が上となり、この突起１９がレバー２０を上に動かし、レバー２０が上に動いたことによりスイッチ２１はオンとなる。制御部１３はスイッチ２１がオンであることを認識し、送風装置７、マイナスイオン発生装置８をオンにする。
【００５４】
（運転状態３−４）
マイナスイオン運転の場合で、水槽部２の水が無いとき即ち水位が所定値未満のときに、水槽部２を本体１から取り外したときは、図８、図１０に示すように、気化フィルター３に連結されている円板１８が水槽部２とともに本体１から離れるので、レバー２０が下の位置になり、スイッチ２１がオフになる。制御部１３はこれを認識し、送風装置７、マイナスイオン発生装置８をオフにする。
【００５５】
以上のように、水槽部２が本体１から取り外されたときは、高電圧の充電部をもつマイナスイオン発生装置８を確実にオフするので安全性を確保できる。また、これにより、マイナスイオン発生装置８を自由な位置に取り付けることができる。
【００５６】
上記説明においては、運転モードに加湿量少の加湿運転の場合があるとしたが、この運転モードは無しとしてもよい。
【００５７】
また、上記説明におけるスイッチ２１およびフロート検出スイッチ１６のオン、オフを逆のオフ、オンに置き換えて実施することも可能である。
【００５８】
【発明の効果】
以上述べたように、本発明の加湿器によれば、本体の内部に、水を保持する水槽部と、水槽部の水を吸水し気化する気化フィルターと、水を水槽部に供給する給水部と、気化フィルターに送風する送風装置と、マイナスイオンを発生するマイナスイオン発生装置と、送風装置およびマイナスイオン発生装置等のオンオフをコントロールする制御部とを備え、水槽部は本体から取り外すことができる加湿器において、本体の内部に、水槽部の本体への取り付け、取り外しに応じて動作するスイッチを備え、前記制御部は前記スイッチのオン、オフに応じて前記マイナスイオン発生装置をオン、オフするものである。
【００５９】
これによって、水槽部が本体から取り外された時にはマイナスイオン発生装置をオフして、安全性を確保し、マイナスイオン発生装置の取り付け位置の自由度を向上することができるという効果を奏する。
【００６０】
加えて、水槽部に、マグネットが固定され水槽部の水位に応じて上下するフロートと、本体に前記マグネットに対向しマグネットの磁力に応答するフロート検出スイッチとを備え、フロート検出スイッチは水槽部の水位が所定値以上か所定値未満かに応じて動作し、水槽部を本体から取り外すとフロートとの距離が離れて動作し、前記制御部はフロート検出スイッチのオン、オフに応じて前記マイナスイオン発生装置をオン、オフするものである。
【００６１】
これによって、水槽部の水位が所定値未満になった時または水槽部が本体から取り外された時にはマイナスイオン発生装置をオフして、より安全性を向上することができるという効果を奏する。
【００６２】
さらに、前記制御部は前記気化フィルターの方向を変えることで加湿量の多と少を切り換え、前記スイッチは気化フィルターの方向を検出するものである。
【００６３】
これによって、加湿量の多少を簡単に切り換えることができるという効果を奏する。
【図面の簡単な説明】
【図１】本発明の一実施例の気化フィルターが垂直の場合の側面断面図である。
【図２】本発明の一実施例の気化フィルター部を含んだ正面断面図である。
【図３】本発明の一実施例のフロート部を含んだ正面断面図である。
【図４】本発明の一実施例の水が少ない場合のフロート部を含んだ正面断面図である。
【図５】本発明の一実施例の水槽部を外した場合のフロート部を含んだ正面断面図である。
【図６】本発明の一実施例の気化フィルターが水平の場合の側面断面図である。
【図７】本発明の一実施例の気化フィルターが水平の場合の気化フィルターを含んだ正面断面図である。
【図８】本発明の一実施例の水がない場合の側面断面図である。
【図９】本発明の一実施例の水がない場合のフロート部を含んだ正面断面図である。
【図１０】本発明の一実施例の水がない場合の気化フィルターを含んだ正面断面図である。
【図１１】従来の加湿器の側面断面図である。
【図１２】従来の加湿器のフロート部を含んだ正面断面図である。
【符号の説明】
１　本体
２　水槽部
３　気化フィルター
４　給水部
７　送風装置
８　マイナスイオン発生装置
１３　制御部
１４　フロート
１５　マグネット
１６　フロート検出スイッチ
２１　スイッチ
【図１】
2004144410.tif 000003
【図２】
2004144410.tif 000004
【図３】
2004144410.tif 000005
【図４】
2004144410.tif 000006
【図５】
2004144410.tif 000007
【図６】
2004144410.tif 000008
【図７】
2004144410.tif 000009
【図８】
2004144410.tif 000010
【図９】
2004144410.tif 000011
【図１０】
2004144410.tif 000012
【図１１】
2004144410.tif 000013
【図１２】
2004144410.tif 000014